(57)【要約】【課題】  プラスチック焼却廃棄に伴うＣＯ2発生量を抑制する。【解決手段】  植物由来プラスチックの廃棄方法において、前記植物由来プラスチックが、植物から抽出された原料を１００％用い、かつこの原料加工におけるエネルギー源として、植物から原料を抽出した後の植物残渣を用いて製造されたものであり、この植物由来プラスチックを焼却廃棄することを特徴とする。【選択図】      図４
2006057957.tif 000002
【特許請求の範囲】
【請求項１】
植物由来プラスチックの廃棄方法であって、前記植物由来プラスチックが、植物から抽出された原料を１００％用い、かつ植物から原料を抽出した後の植物残渣をこの原料加工におけるエネルギー源として用いて製造されたものであり、この植物由来プラスチックを焼却廃棄することを特徴とする、植物由来プラスチックの廃棄方法。
【発明の詳細な説明】
【技術分野】
【０００１】
本発明は、植物由来プラスチックの廃棄方法に関する。
【背景技術】
【０００２】
従来より用いられている石油資源を原料とするプラスチックは、投棄処分すると分解されることなく土中に残留し、環境問題を引き起こす。そこで近年、使用中は従来のプラスチック樹脂と同様に使用することができるが、使用後は自然界において微生物や水分の作用によって分解され、最終的には水と二酸化炭素に分解する生分解性プラスチックが環境に負荷を与えない材料として注目されている（例えば、特許文献１参照）。
【０００３】
【特許文献１】特開２０００−５３１４５号公報
【発明の開示】
【発明が解決しようとする課題】
【０００４】
ところが、特許文献１に記載のエチレンビニルアルコール共重合体のような従来の生分解性プラスチックは十分な生分解性を示すものの、石油を原料としたプラスチックであり、焼却処分すると有害成分の発生を招き、また大気中のＣＯ2濃度を高める。このＣＯ2濃度増加は地球温暖化を引き起こし、異常気象、砂漠化の原因と考えられている。
【０００５】
本発明は、トータルとしてＣＯ2の濃度増加を抑制するプラスチックの廃棄方法を提供することを目的とする。
【課題を解決するための手段】
【０００６】
上記問題点を解決するために本発明によれば、植物由来プラスチックの廃棄方法において、前記植物由来プラスチックが、植物から抽出された原料を１００％用い、かつ植物から原料を抽出した後の植物残渣をこの原料加工におけるエネルギー源として用いて製造されたものであり、この植物由来プラスチックを焼却廃棄することを特徴とする。
【発明の効果】
【０００７】
本発明においては、焼却するプラスチックを、石油資源をまったく用いることなく、植物から抽出された原料を１００％用い、さらにこの原料からプラスチックを加工する際に利用するエネルギーも石油資源を用いることなく、植物から原料を抽出した後の植物残渣を用いているため、得られたプラスチックを焼却しても長期にわたって植物に吸収し蓄えられていたＣＯ2を放出していることになるため、トータルとしてＣＯ2の濃度増加を抑制することになる。
【発明を実施するための最良の形態】
【０００８】
本発明は、植物由来プラスチックを焼却廃棄することを特徴とする。この植物由来プラスチックの製造において、図１に示すように、まず植物から原料を抽出する。この植物としては、さとうきび、ケナフ、とうもろこし等を用いることができる。原料化は、この植物を裁断し、絞り、そして抽出液を濃縮することにより行われ、澱粉、セルロース、その他の糖類が得られる。また、澱粉を発酵技術によりグルコース経由で乳酸等の樹脂原料を得ることもできる。
【０００９】
こうして得られた原料をプラスチック製造工程において液化、樹脂化、高分子化することにより植物由来プラスチックが得られる。例えば乳酸を脱水重縮合させることによりポリ乳酸が得られる。
【００１０】
従来は、この製造工程におけるエネルギーとして、石油資源由来のエネルギーを用いていた。本発明において用いるプラスチックでは、この製造工程のエネルギー源として、植物から原料を抽出した後の植物残渣、例えばとうもろこしから澱粉等を抽出した後の残渣、を用いている。従って、石油資源を用いた場合と比較して、プラスチック製造に要するエネルギーを低減することができ、ＣＯ2の排出量を抑制することができる。
【００１１】
具体的には、乳酸からポリ乳酸を製造する場合、
Ａ．製造エネルギーとして100％植物残渣（バガス）を用いる、
Ｂ．製造エネルギーとして、さとうきびから得られる糖分から100％ポリ乳酸を製造し、そのとき伐採されたそのさとうきびから回収されるバガスを用い、不足分として石油資源を用いる、
Ｃ．製造エネルギーとして100％石油資源を用いる、
の３つの場合について調べたところ、図２に示すような結果が得られた。すなわち、植物残渣のみを製造エネルギーとして用いれば、石油資源の使用量を100％低減することができ、また原料抽出後の残渣のみを用いた場合でも30％低減することができる。
【００１２】
また、石油資源をエネルギーとして用いると、石油資源中に固定されていたＣＯ2はすべて大気中に排出されることになる。一方、プラスチックの原料として植物を用い、製造エネルギーとして、この植物から原料を抽出した後の残渣を用いると、植物に固定されていたＣＯ2の一部は原料として用いられ、プラスチック中に固定される。さらに原料を抽出した後の残渣に含まれるＣＯ2量はもとの植物中のＣＯ2量よりも少ないため、この残渣をエネルギーとして用いた場合に放出されるＣＯ2の量はもとの植物を燃焼した場合に放出されるＣＯ2の量よりも少なく、結果として石油資源をエネルギーとして用いた場合に比較して大気に放出されるＣＯ2量を低減することができる。
【００１３】
こうして製造された植物由来のプラスチックと、原料として植物を用い、原料加工におけるエネルギー源として石油資源を用いたプラスチックと、原料として石油資源を用い、原料加工におけるエネルギー源として石油資源を用いたプラスチックとについて、その製造時に排出されるＣＯ2量と焼却されるときに発生するＣＯ2量の合計を図３に示す。
【００１４】
原料として石油資源を用い、原料加工におけるエネルギー源として石油資源を用いたプラスチックを焼却すると（図３(3)）、製造時及び焼却時に大気中に排出されるＣＯ2はすべて石油資源中に固定されていたＣＯ2である。原料として植物を用い、原料加工におけるエネルギー源として石油資源を用いたプラスチックを焼却すると（図３(2)）、原料は植物であるため、植物に固定されていたＣＯ2が放出されるのみであり、この場合に発生するＣＯ2量は０として計算する。従って、(3)に比べてＣＯ2発生量を55％程度抑制することができる。原料として植物を用い、原料加工におけるエネルギー源として植物から原料を抽出した後の残渣を用いて製造したプラスチックを焼却すると（図３(1)）、原料は植物であるため、植物に固定されていたＣＯ2が放出されるのみであり、また製造時に排出されるＣＯ2も植物に固定されていたＣＯ2が放出されるのみであり、いずれも発生するＣＯ2量は０として計算され、従って(3)に比べてＣＯ2発生量を100％抑制することができる。
【００１５】
図４に示すように、本発明の方法においては、ＣＯ2を固定している植物を原料としたプラスチックを焼却しているため、この焼却によってもともと大気中にあったＣＯ2をもとの大気中にもどすことになり、トータルとしてＣＯ2の量は増加することにはならない。また、このプラスチックの製造時におけるエネルギーも植物由来であるため、排出されるＣＯ2の濃度増加とはならない。
【図面の簡単な説明】
【００１６】
【図１】本発明において用いる植物由来樹脂の製造方法の工程を示す図である。
【図２】ポリ乳酸の製造における石油資源の低減効果を示すグラフである。
【図３】本発明におけるＣＯ2排出量を示すグラフである。
【図４】ＣＯ2の循環を示す略図である。
【図１】
2006057957.tif 000003
【図２】
2006057957.tif 000004
【図３】
2006057957.tif 000005
【図４】
2006057957.tif 000006